(57)【要約】【課題】遊技球の発射方向を安定にした発射装置を有する弾球遊技機を提供する。【解決手段】内レール８と外レール９とで形成された遊技球案内通路７の通路入口Ｇ３から、ファール球回収口Ｇ２を隔てて設けられた発射装置Ｍであって、遊技球を２点接触により案内するＶ字型溝による遊技球滑走面１３ａを有する下側レール１３と、下側レールの遊技球滑走面に対し、遊技球１個分以上で２個分未満の距離を隔てて平行であって、遊技球を２点接触により案内するＶ字型溝による遊技球ガイド面３０ａを有する上側レール３０とを備えた発射装置を有する弾球遊技機。【選択図】図４
2012254119.tif 000002
【特許請求の範囲】
【請求項１】
遊技盤上に設けられて、遊技球を前記遊技盤上の遊技領域に案内する遊技球案内通路を形成するガイドレールと、前記遊技盤を支持する支持基台の下方であって、前記遊技球案内通路から前記遊技盤の下方へ逆戻りしてくるファール球を回収するファール球回収口を隔てて、前記遊技球案内通路の入口に対向して設けられる遊技球の発射装置と、を有する弾球遊技機であって、
前記発射装置は、遊技球を打ち出すノックアームと、前記ノックアームを駆動する駆動手段と、打ち出された遊技球を２点接触により案内する遊技球滑走面を有する下側レールと、前記下側レールの前記遊技球滑走面に対し、遊技球１個分以上で２個分未満の距離を隔てて略平行であって、遊技球を２点接触により案内する遊技球ガイド面を有する上側レールと、を備えることを特徴とする弾球遊技機。
【請求項２】
請求項１において、
前記発射装置は、前記下側レールが、前記遊技球滑走面を遊技球の滑走方向に上り勾配を有して配置され、遊技球を前記下側レール上に供給する遊技球供給口が、前記遊技球滑走面の上方に配置されるとともに、前記遊技球供給口から前記下側レール上に供給された遊技球を前記下側レールの所定位置に遊技球滑走方向の上流側から一時的に保持するための球保持部材が、前記遊技球供給口よりも遊技球滑走方向の上流側に、前記遊技球滑走面から遊技球１個分未満の間隔を有して設けられ、
前記上側レールは、前記球保持部材から前記遊技球供給口を隔てて設けられているとともに、前記上側レールの入口側には、前記上側レールと前記下側レールとにより形成される発射通路の開口面積が出口側より入口側のほうが拡大されるように、前記遊技球滑走面に対し上方に曲げられた入口側端面部が設けられ、
前記ノックアームの遊技球を打球する槌部が、前記駆動手段によって駆動されて前記球保持部材と前記下側レールとの間に入り込むことにより、前記所定位置に保持された遊技球が前記発射通路を経て前記遊技球案内通路の入口に向けて打ち出されることを特徴とする弾球遊技機。
【発明の詳細な説明】
【技術分野】
【０００１】
本発明は、遊技球の発射装置を備えた弾球遊技機に関するものである。
【背景技術】
【０００２】
パチンコ機などの弾球遊技機は、遊技球が流下する遊技領域が遊技盤面に形成されており、この遊技盤を支持する基台の下方に設けられた発射装置のハンドルを回動操作すると、ハンドルの回動量に基づく打ち出し強度で遊技球が遊技領域に向けて打ち出されるようになっている。
このような弾球遊技機には、遊技球を一定間隔で１球ずつ打ち出す発射装置と、その発射装置に遊技球を１球ずつ供給する、いわゆる整流器と言われる遊技球供給装置とが設けられている。
発射装置には、ロータリーソレノイドなどの駆動手段により駆動されるハンマー状のノックアームが設けられており、ノックアームをハンドルの回動量に基づく打ち出し速度で運動させて遊技球を打つことで、ハンドルの回動量に基づく打ち出し強度で遊技球が打ち出される。
発射装置によって打ち出された遊技球は、遊技盤上に設けられた内側ガイドレールと外側ガイドレールから形成される遊技球案内通路を通り、遊技領域に投入される。
【０００３】
このような発射装置において、遊技球の発射方向を安定させるため、その遊技球を滑走させる滑走面を略Ｖ字状に形成することが提案されている。（特許文献１参照）
遊技球滑走面をこのように形成すると、該遊技球滑走面上を滑走する遊技球は、略Ｖ字状の滑走面を２点接触しながら発射されるので、遊技球進行方向に対して左右方向、つまり遊技盤面に垂直な方向での発射方向が安定するとされている。
【先行技術文献】
【特許文献】
【０００４】
【特許文献１】特開２００８−１８１４６号公報
【発明の概要】
【発明が解決しようとする課題】
【０００５】
このような発射装置のノックアームに設けられた打球ヘッドには、消音性や一定のばね状弾性を有するように、弾性変形可能な合成樹脂が被覆されており、その合成樹脂材料としては、例えば、高い圧縮弾性率を有する熱可塑性エラストマーの一種であるポリエステルエラストマーが使用されている。
このため、この被覆された合成樹脂層が摩耗や変形をすることで遊技球の打ち所が悪くなった場合、あるいは遊技領域の右側の領域を用いて遊技をするなどのために、遊技球を打撃する強度を強くする場合などでは、遊技球滑走面をこのように略Ｖ字型に形成しても、打ち出された遊技球がこの遊技球滑走面上を滑走することなく浮き上がってしまうことがある。
【０００６】
このように遊技球が浮き上がってしまうと、遊技球進行方向に対し上下方向、つまり遊技盤面に対して平行な方向での安定性が確保できないばかりでなく、遊技球滑走面の内壁によってガイドされなくなるので、遊技球進行方向に対し左右方向、つまり遊技盤面に対し垂直な方向での安定性も十分確保できなくなり、発射方向の精度が低下してしまう。
このため、発射された遊技球が遊技球案内通路内に投入されずに、ファール球回収口から回収されたり、あるいは遊技球案内通路内に投入されたとしても、遊技球が遊技領域の前面を覆うガラス扉のガラス面に衝突しながら搬送されることで、騒音などの不具合が発生したりする。
また、このように遊技球が浮き上がってしまうと、通路入口の上下方向（遊技盤面に対し平行な方向）での開口面積を大きくしなければ、遊技球を遊技球案内通路内に投入することができない。しかしながら、この開口面積を大きくとると、遊技領域の面積がその分だけ小さくなってしまい、弾球遊技機に遊技性を付与するための制約となってしまう。
【０００７】
本発明は、上記した実情に鑑みてなされたものであり、その目的は、遊技球の発射方向を安定にすることができる発射装置を備えた弾球遊技機を提供することにある。
【課題を解決するための手段】
【０００８】
上記の目的を達成するために、本発明は、遊技盤上に設けられて、遊技球を前記遊技盤上の遊技領域に案内する遊技球案内通路を形成するガイドレールと、前記遊技盤を支持する支持基台の下方であって、前記遊技球案内通路から前記遊技盤の下方へ逆戻りしてくるファール球を回収するファール球回収口を隔てて、前記遊技球案内通路の入口に対向して設けられる遊技球の発射装置と、を有する弾球遊技機であって、
前記発射装置は、遊技球を打ち出すノックアームと、前記ノックアームを駆動する駆動手段と、打ち出された遊技球を２点接触により案内する遊技球滑走面を有する下側レールと、前記下側レールの前記遊技球滑走面に対し、遊技球１個分以上で２個分未満の距離を隔てて略平行であって、遊技球を２点接触により案内する遊技球ガイド面を有する上側レールと、を備えることを特徴とした。
【０００９】
このように構成したことにより、本発明は、ノックアームの先端部の合成樹脂層が摩耗して遊技球の打ち所が悪くなった場合、あるいは遊技球を打撃する強度が強い場合に、打ち出された遊技球が下側レール上を滑走することがなく浮き上がったとしても、遊技球は、上側レールの遊技球ガイド面によって規制されるので、遊技盤面に対する垂直方向および平行方向ともに所定範囲内で発射されることとなる。
このため、遊技球案内通路内でガラス扉のガラス面や遊技盤面に衝突しながら搬送されることがないので、騒音や傷が発生するなどの不具合も解消することができる。
また、発射された遊技球が該遊技球案内通路内の外側ガイドレールに確実にランディングしてそのまま外側ガイドレールに沿って遊技領域に投入されるので、内側ガイドレールに遊技球が衝突して外側ガイドレールとの間でバウンドすることによる遊技球の減速が生じないし、そのように遊技球がバウンドすることによる騒音等も発生しない。
また、遊技球案内通路の通路入口の開口面積（外側ガイドレールと内側ガイドレールの間隔）を大きく取らなくても、遊技球を、通路入口から遊技球案内通路内の外側ガイドレールに確実にランディングさせることができる。
しかも、発射装置に上側レールを取り付けるという設計は、格別なコストアップにならない。
【００１０】
また、本発明は、前記発射装置は、前記下側レールが、前記遊技球滑走面を遊技球の滑走方向に上り勾配を有して配置され、遊技球を前記下側レール上に供給する遊技球供給口が、前記遊技球滑走面の上方に配置されるとともに、前記遊技球供給口から前記下側レール上に供給された遊技球を前記下側レールの所定位置に遊技球滑走方向の上流側から一時的に保持するための球保持部材が、前記遊技球供給口よりも遊技球滑走方向の上流側に、前記遊技球滑走面から遊技球１個分未満の間隔を有して設けられ、
前記上側レールは、前記球保持部材から前記遊技球供給口を隔てて設けられているとともに、前記上側レールの入口側には、前記上側レールと前記下側レールとにより形成される発射通路の開口面積が出口側より入口側のほうが拡大されるように、前記遊技球滑走面に対し上方に曲げられた入口側端面部が設けられ、
前記ノックアームの遊技球を打球する槌部が、前記駆動手段によって駆動されて前記球保持部材と前記下側レールとの間に入り込むことにより、前記所定位置に保持された遊技球が前記発射通路を経て前記遊技球案内通路の入口に向けて打ち出されることを特徴とした。
【００１１】
このように構成したことにより、本発明は、上側レールの遊技球入口側で遊技球に対する開口面積が拡大されているので、遊技球を下側レールと上側レールとの空間に確実に案内することができるとともに、上側レールの遊技球入口側の拡げられた開口面に遊技球が衝突しても、入口側端面部に若干の弾性を有するため、その衝撃を緩和することができる。
【００１２】
このように、本発明によれば、遊技球の発射方向を安定にした発射装置を備えた弾球遊技機を提供することができる。
【図面の簡単な説明】
【００１３】
【図１】本発明の実施形態例に係るパチンコ機の、ガラス扉と球受皿を除いた状態での正面図。
【図２】本発明の実施形態例に係るパチンコ機の、ガラス扉と球受皿を除いた状態での左上方からの斜視図。
【図３】本発明の実施形態例に係るパチンコ機の、図１の状態からベース板を取り除いた状態での、遊技球の発射方向を説明する拡大正面図。
【図４】本発明の実施形態例に係るパチンコ機の発射装置の下方からの斜視図。
【図５】本発明の実施形態例に係るパチンコ機の発射装置の正面図。
【発明を実施するための形態】
【００１４】
本発明の実施の形態について説明する。  
図１および図２に示すように、本実施の形態例のパチンコ機Ｐは、遊技盤Ｂを支持する支持基台Ｋを有する遊技機本体枠Ｆを備え、この遊技盤Ｂの盤面上には、内側ガイドレール８および外側ガイドレース９によって遊技領域Ｇが区画されており、さらにこの遊技領域Ｇには、図示しない複数の障害釘、始動入賞口、大入賞口、スルーチャッカや遊技球の入賞検知に基づいて制御処理される演出表示装置などが設けられている。
遊技機本体枠Ｆの前面側には、遊技領域Ｇを含む本体上部を回動自在に覆うガラス扉と、支持基台Ｋを含む本体下部を回動自在に覆う球受皿が設けられているが、図１及び図２では、これらガラス扉と球受皿は取り外した状態とされている。
このガラス扉には透明窓が設けられており、この透明窓から遊技領域Ｇが視認できるようになっている。また球受皿には入賞により払い出された遊技球（賞球）や遊技者が購入した遊技球が貯留可能となっており、ここに貯留された遊技球は、後述する発射装置Ｍに誘導されるようになっている。
【００１５】
このパチンコ機Ｐの本体下部の中央には、図１および図２に示すように、発射装置Ｍが取り付けられたベース板１０が、手前側（遊技者側）にロータリーソレノイドを載置した状態で取り付けられている。
発射装置Ｍの主要部は、このベース板１０の奥側に組み付けられており、図２では、遊技球を打ち出す打球ヘッド２３ａの他は、このベース板１０によって隠されている。
この発射装置Ｍは、遊技球案内通路７の通路入口Ｇ３から遊技盤の下方へ逆戻りしてくるファール球を回収するファール球回収口Ｇ２を隔てて、前記遊技球案内通路の入口に対向して設けられる。
したがって、この発射装置Ｍから発射された遊技球は、発射口Ｇ１から射出されてファール球回収口Ｇ２上の空間を飛び、内側ガイドレール８と外側ガイドレール９とからなるガイドレールで形成された遊技球案内通路７の通路入口Ｇ３へ向かう。
そして、通路入口Ｇ３から遊技球案内通路７に進入した遊技球は、遊技領域案内口αから遊技領域Ｇに投入される。
【００１６】
発射装置Ｍは、図４および図５に示すように、ベース板１０上に組み付けられた、第１ストッパ１１、第２ストッパ１２、下側レール１３、球保持部材１４、ロータリーソレノイド（駆動手段）１５、ノックアーム２０、および上側レール３０により構成されている。
ノックアーム２０は、第１ストッパ１１と当接する部分を屈曲させた正面視略へ字状の長片部２３と、この長片部２３に対して所定の角度をなす短片部２２とから構成され、長片部２３の一端部と、短片部２２の一端部とが略Ｖ字状に連結された一体構成となっている。この連結部分に設けた挿通孔にロータリーソレノイド１５の駆動軸２１が固定されてノックアーム２０の回動支点となっている。
そして、ノックアーム１５の短辺部２２と長辺部２３の回動を規制するために、それに対応してそれぞれ第２ストッパ１２と第１ストッパ１１が配置されている。
また、長片部２３の先端には、遊技球を打撃する打球ヘッド（槌部）２３ａが突起状に設けられており、その先端部には弾性変形可能な合成樹脂が被覆されている。
【００１７】
また、図５に示すように、下側レール１３は、その遊技球滑走面１３ａが、水平状態から第１ストッパ側に向かって傾斜するようにベース板１０に取り付けられている（つまり、遊技球の滑走方向に向かって上り勾配を有するように配置されている）。
そして、球保持部材１４は、その傾斜する下側レール１３の低部側（遊技球滑走方向に対し上流側）の上方に取り付けられており、下側レール１３の遊技球滑走面１３ａと該球保持部材１４との間隔Ｘは、打球ヘッド２３ａの直径よりも広く、遊技球Ｑの直径よりも狭い幅となっている。
【００１８】
また、発射装置Ｍに遊技球Ｑを補給する整流器は、図示されていないが、図１又は図２に示すベース板１０の手前側（遊技者側）に配置されており、発射装置Ｍのベース板１０に設けられた遊技球供給口ａへ遊技球Ｑを１個ずつ配球するように構成されている。
そして、この遊技球供給口ａは、図５に示すように、前記球保持部材１４よりも下流側の遊技球滑走面１３ａの上方に開口されている。
【００１９】
したがって、この遊技球供給口ａに配球された遊技球Ｑは、この遊技球供給口ａから下側レール１３の遊技球滑走面１３ａ上に供給され、その後、この遊技球滑走面１３ａ上を遊技球滑走方向の上流側に滑落していき、最終的に、下側レール１３と球保持部材１４とに挟まれて滑落がせき止められる所定位置（球保持位置１３ｂ）に装填されることとなる。
そして、この所定位置（球保持位置１３ｂ）は、打球ヘッド２３ａの回動軌跡上に位置するように設定されている。
【００２０】
下側レール１３は、図４に示すように、金属板をコ字状に曲折して形成した樋状部材の底面を、更に略Ｖ字状に曲折させてＶ字型溝を形成させたものであり、その略Ｖ字型面を遊技球滑走面１３ａとし、その遊技球滑走面１３ａの長さは遊技球の直径の略３倍以上とされている。
したがって、遊技球Ｑが、そのＶ字型溝の中を転動すると、Ｖ字型溝の両側壁に点接触しながら、つまり遊技球滑走面１３ａ上を２点接触しながら転動することとなる。
【００２１】
そして、この下側レール１３の遊技球滑走面１３ａに略平行するように上側レール３０が同じベース板１０に取り付けられている。この上側レール３０は、下側レール１３と同様に、金属板をコ字状に曲折して形成した樋状部材の底面を、更に略Ｖ字状に曲折させてＶ字型溝を形成させたものであり、そのＶ字型溝を遊技球ガイド面３０ａとして、下側レール１３の下流側の少なくとも一部のＶ字型溝（遊技球滑走面１３ａ）と対向するように、かつ、下側レール１３の遊技球滑走面１３ａ対し上側レール３０の遊技球ガイド面３０ａが、図５に示すように、遊技球１個分以上かつ２個分未満の平行間隔Ｚを保持するように取り付けられている。
また、その遊技球ガイド面３０ａの長さは、遊技球Ｑの略直径以上とされている。したがって、この下側レール１３の遊技球滑走面１３ａとそれに対向した上側レール３０の遊技球ガイド面３０ａとによって、遊技球の発射通路Ｒが形成されている。
【００２２】
また、この上側レール３０と球保持部材１４との間には、遊技球Ｑを下側レール１３上に供給するための遊技球供給口ａを確保するため、遊技球１個分以上かつ２個分未満程度の間隔Ｙが設けられている。
さらに、この金属板から形成されている上側レール３０の遊技球供給口ａ側の入口側端面部３０ｂが、遊技球滑走面１３ａに対し上方に曲げられており、したがって、発射通路Ｒは、発射口Ｇ１側となる遊技球出口側Ｄ（つまり下流側）よりも玉保持部材側となる遊技球入口側Ｅ（つまり上流側）のほうが、遊技球に対する開口面積が上方に拡大されている。
【００２３】
このように構成された発射装置Ｍは、ロータリーソレノイド（駆動手段）１５への給電が行われると、ノックアーム２０は上方（図中、時計方向）に瞬間的に回動し、球保持位置１３ｂに装填された遊技球Ｑを打球ヘッド２３ａが打撃し、その直後に短片部２２が第２ストッパ１２に当接して制止される。ロータリーソレノイド１５への給電が停止されると、遊技球供給口ａから次の遊技球が供給され、ノックアーム１５は第２ストッパ１２に制止された位置から自重によって反時計方向に回動し、長片部２３が第１ストッパ１１に当接して停止される。この一連の動作が連続することにより、球保持部材１４と下側レール１３とで形成される球保持位置１３ｂに一時的に保持された遊技球が、連続的に打ち出されることとなる。
【００２４】
ここで、打球ヘッド２３ａの合成樹脂層が摩耗や変形をすることで遊技球Ｑの打ち所が悪くなった場合、発射装置Ｍにおける各部品の組み付け状態が悪い場合、下側レール１３へゴミや異物が付着して円滑な滑走ができなくなっている場合、あるいは遊技球Ｑを打球する強度が強い場合などでは、打ち出された遊技球Ｑが下側レール１３の滑走面１３ａ上を滑走することなく浮き上がってしまうことがあるが、本発明では、以上のように構成したことにより、そのように浮き上がった遊技球Ｑでも、下側レール１３と上側レール３０との間隔Ｚに形成される発射通路Ｒ内に進入し、上側レール３０の遊技球ガイド面３０ａに当接して発射されることとなる。
【００２５】
この際、上側レール３０の遊技球ガイド面３０ａは略Ｖ字型溝となっており、遊技球Ｑは、その略Ｖ字型溝の両壁面に点接触しながらガイドされるので、遊技盤Ｂに対して垂直方向での所定の間隔を保って打ち出されることとなる。したがって、内側ガイドレール８と外側ガイドレール９との間隔Ｗによって形成される遊技球案内通路内において、遊技球Ｑが遊技盤面や遊技盤Ｂを前面側から覆うガラス面に衝突することに伴う騒音や傷などのトラブルが発生しない。
【００２６】
また、打球ヘッド２３ａにより打撃された遊技球Ｑは、浮き上がったとしても上側レール３０によってガイドされることにより、図３（図１から手前側のベース板１００を削除した状態の説明図）に示す一点鎖線の軌道を通り、外側ガイドレール９に安定的にランディングすることとなる。このようにランディングした遊技球Ｑは、そのまま外側ガイドレール９に沿って遊技領域Ｇに安定的に投入されることとなる。これに対し、上側レール３０が無い場合には、浮き上がった遊技球は、例えば図３の鎖線に示すような軌跡で内側ガイドレール８に衝突し、その反動で外側ガイドレール９との間でバウンドしながら搬送される場合があり、そのような場合にはそのバウンドに伴って遊技球Ｑの速度が減少し、遊技領域案内口αから遊技領域Ｇに投入される際の速度にバラツキが生じることとなる。
したがって、本実施の形態例により、遊技球Ｑは、外側ガイドレール９に確実にランディングするように遊技球案内通路に進入するので、内側ガイドレール８と外側ガイドレール９との間で遊技球Ｑがバウンドすることもなく、それに伴う騒音や遊技球の減速が発生することなく、バラツキのない速度で遊技領域Ｇに投入されることとなる。このことは、遊技者が遊技領域Ｇ内の特定箇所（例えば、始動入賞口や、いわゆる「ぶっ込み位置」）を狙って発射装置Ｍを操作する場合に、その狙い箇所からのバラツキが生じないので、遊技者にとって有効である。
【００２７】
また、遊技球ガイド面３０ａは、下側レール１３の遊技球滑走面１３ａと略平行であって、その下側レール１３との間隔を遊技球１個分以上かつ２個分未満に設定されているので、遊技球Ｑは、せいぜい遊技球の１個分未満の間隔しか上方に射出されないこととなる。
したがって、遊技盤面に平行する方向での発射精度を所定の範囲で確保することができ、遊技球案内通路７の通路入口Ｇ３を広くして遊技領域を犠牲にする必要もない。
しかも、従発射装置に上側レール３０を取り付けるという設計は、取り付ける手間も掛からず済むので、格別なコストアップにならない。
【００２８】
また、上側レール３０の遊技球供給口ａ側の入口側端面部３０ｂが上方に曲げられて開口面積が上方に拡げられているので、遊技球Ｑが球保持位置１３ｂから多少上方に向けて打ち出されたとしても、確実に上側レール３０と下側レール１３との間隔Ｚに誘導することができる。
【００２９】
また、該上側レール３０は金属板を加工して作成されているので該入口側端面部３０ｂが弾性を有しており、遊技球Ｑが上側レール３０の遊技球供給口ａ側の入口側端面部３０ｂに衝突したとしても、この弾性により衝突した際の衝撃が緩和されるので、衝突に伴う騒音が緩和されるとともに、上側レール３０と下側レール１３との間で遊技球が飛び跳ねることも緩和される。
【００３０】
さらに、上側レール３０をベース板１０へ取り付けるに際し、その遊技球ガイド面３０ａと下側レール１３の遊技球滑走面１３ａとがなす角度を調整することができるように、上側レール３０にベース板１００への取り付け位置調整装置を付加することができる。
したがって、発射装置Ｍの遊技機Ｐへの組み付けに際し、遊技球Ｑの発射角度が設計値からずれてしまった場合には、この位置調整装置を用いることにより、上側レール３０の組み付け調整のみで、発射角度を設計値に調整することが容易である。
【００３１】
なお、本発明は上述した実施形態例に限定されることはなく、特許請求の範囲に記載された発明の技術思想の範囲内で以下のような様々な変形が可能である。
（１）上側レール３０の遊技球ガイド面３０ａに、例えば、打球ヘッド２３ａに被覆されているのと同様な、弾性変形可能なかつ摩擦係数の小さな合成樹脂をコーティングすることができる。
このように樹脂コーティングを行うことにより、遊技球Ｑが上側レール３０に衝突したとしても、その衝撃が緩和されて騒音が発生することもなく、かつ、下側レール１３との間で遊技球Ｑが飛び跳ねることもないので、遊技球Ｑのスムーズな打ち出しが行える。
【００３２】
さらに、以下（２）〜（８）の変形実施例によって、打球ヘッド２３ａの打撃によって浮き上がった遊技球の遊技球ガイド面３０ａとの接地時の安定効果や、遊技球出口側Ｄから発射された遊技球を通路入口Ｇ３に到達させる際の球軌道の高い安定効果が見込めるようになる。
（２）上側レール３０の遊技球ガイド面３０ａの幅を、下側レール１３の遊技球滑走面１３ａの幅より、広くすることもできる。
【００３３】
（３）上側レール３０の遊技球ガイド面３０ａの幅を、下側レール１３の遊技球滑走面１３ａの幅より、その幅を狭くすることもできる。
【００３４】
（４）上側レール３０を下側レール１３より、Ｖ字溝のＶ字角度を大きくすることもできる。
【００３５】
（５）上側レール３０を下側レール１３より、Ｖ字溝のＶ字角度を小さくすることもできる。
【００３６】
（６）上側レール３０の遊技球Ｑの出口側の端部位置は、遊技球Ｑの進行方向に対して、下側レール１３の出口側の端部位置と同じ位置とすることもできる。
【００３７】
（７）上側レール３０の遊技球Ｑの出口側の端部位置は、遊技球Ｑの進行方向に対して、下側レール１３の出口側の端部位置より手前側（上流側）の位置とすることもできる。
【００３８】
（８）上側レール３０の遊技球Ｑの出口側の端部位置は、遊技球Ｑの進行方向に対して、下側レール１３の出口側の端部位置より奥側（下流側）の位置とすることもできる。
【００３９】
（９）上側レール３０を金属板の加工により作成したが、必ずしも金属板を加工して作成する必要はなく、樹脂成型により作成しても良い。この場合、入口側端面部３０ｂを薄肉状に形成するなどによりその端面部に弾性が付与されるように成型することで、同様な効果を奏することが出来る。
【符号の説明】
【００４０】
８    内側ガイドレール
９    外側ガイドレール
１０  ベース板
１１  第１ストッパ
１２  第２ストッパ
１３  下側レール
１３ａ  遊技球滑走面
１３ｂ  球保持位置
１４  球保持部材
１５  ロータリーソレノイド（駆動手段）
２０  ノックアーム
２２  短片部
２３  長片部
２３ａ  打球ヘッド（槌部）
３０    上側レール
３０ａ  遊技球ガイド面
３０ｂ  上側レール入口側端面部
Ｐ  パチンコ機
Ｂ  遊技盤
Ｇ  遊技領域
Ｑ  遊技球
Ｒ  発射通路
Ｍ、発射装置
Ｇ１  射出口
Ｇ２  ファール球回収口
Ｇ３  遊技球案内通路入口
ａ  遊技球供給口
【図４】
2012254119.tif 000003
【図５】
2012254119.tif 000004
【図１】
2012254119.tif 000005
【図２】
2012254119.tif 000006
【図３】
2012254119.tif 000007